(57)【特許請求の範囲】
【請求項１】
長尺でしかも幅の広いアルミニウムの押し出し型材による外材とその外材を支持するスチールやアルミニウムによる内材とによって構成されるアルミニウムサッシの出窓における屋根および/もしくは底板の低音域防振構造において、
屋根および/もしくは底板の外材の内側もしくは内材の内側に、屋根および/もしくは底板の幅方向の中央付近に屋根および/もしくは底板の長手方向に突条状の防振材を直線状に設けて外材もしくは内材を剛構造とし、屋根および/もしくは底板の外材の内側もしくは内材の内側に制振材を付着させ、屋根および/もしくは底板の内材によって出窓外枠および躯体に固着させたことを特徴とする屋根および/もしくは底板の低音域防振構造。
【請求項２】
請求項１において、外材もしくは内材の内側の制振材を制振塗料とし、塗布したことを特徴とする屋根および/もしくは底板の低音域防振構造。
【発明の詳細な説明】
【０００１】
【発明の属する技術分野】
本発明は、飛行場や基地等の低音域騒音が発生する付近の建築物に使用されるアルミニウムサッシの出窓における屋根および／もしくは底板の防振構造に関する。
【０００２】
【従来の技術】
アルミニウムサッシの出窓における屋根１および底板２は、図５に示す如く、長尺でしかも幅の広いアルミニウムの押し出し型材による外材３とその外材３を支持するスチールやアルミニウムによる内材４とによって構成されている。
【０００３】
【発明が解決しようとする課題】
ところが、このような構成によると、その外材３と内材４とによって中空部５が形成され、それが、飛行場や基地等の低音域騒音が発生する付近では共鳴透過によって低音域での遮音性が悪くなり、室内騒音を低減する目的上障害となっている。
【０００４】
そこで、外材３の内側に例えば断熱を兼ねた発泡性の制振材５（例えば登録商標グライト）を吹き付け等の手段によって付着させて共鳴による騒音の発生を防ぐようにしているが、それでも外材３は長尺でしかも幅の広いアルミニウムの押し出し型材であり、しかもその厚さには押し出し加工による限界があるために振動による共鳴音の発生を防ぐことができないという問題がある。
【０００５】
【課題を解決するための手段】
そこで本発明は、長尺でしかも幅の広いアルミニウムの押し出し型材による外材とその外材を支持するスチールやアルミニウムによる内材とによって構成されるアルミニウムサッシの出窓における屋根および/もしくは底板の低音域防振構造において、屋根および/もしくは底板の外材の内側もしくは内材の内側に、屋根および/もしくは底板の幅方向の中央付近に屋根および/もしくは底板の長手方向に突条状の防振材を直線状に設けて外材もしくは内材を剛構造とし、屋根および/もしくは底板の外材の内側もしくは内材の内側に制振材を付着させ、屋根および/もしくは底板の内材によって出窓外枠および躯体に固着させたことを特徴とする。
【０００６】
【発明の実施の形態】
以下に本発明の実施の形態を図面を用いて説明する。
第１実施の形態例
図１は第１実施の形態例を示す説明図であり、図において、６は屋根であり、長尺でしかも幅の広いアルミニウムの押し出し型材による外材７とその外材７を支持するスチールやアルミニウムによる内材８とによって構成されている。
【０００７】
９は底板であり、これも長尺でしかも幅の広いアルミニウムの押し出し型材による外材７とその外材７を支持するスチールやアルミニウムによる内材８とによって構成される。
このようにした屋根６および底板９は内材８によって出窓外枠１０および躯体１１にねじ等で固着されている。
【０００８】
１２は防振材であり、アルミニウム、スチール、ステンレススチール、合成樹脂もしくは木材等による断面形状がアングル状の長尺材である。このような防振材１２を屋根６および／もしくは底板９の幅方向の中央付近に屋根６および／もしくは底板９の長手方向の全長もしくは部分的に固定配置して外材７を剛構造とする。その取り付け手段は接着剤による接着、両面テープによる接着、スポット溶接等どのような手段でもよい。
【０００９】
また、その断面形状は上記のアングル状に限るものではなく、例えば、図２に示す如く、断面形状が三角形、四角形、山形、波形等どのような形状でもよく、取り付けた外材７を剛構造に構成することができる形状であればよい。
なお、その配置個所は、図面では外材７の内側に取り付けてあるが、外側に突出させて取り付けてもよく、内側に取り付けると外観上具合がよい。外側に取り付けると雨の吹き上がりを防ぐ効果がある。
【００１０】
また、上記では外材７に防振材１２を取り付けた場合で説明を行ったが、内材８に同様に取り付けてもよく、さらには外材７と内材８の両方にそれぞれ防振材１２を取り付けてもよい。
５は外材７および／もしくは内材８の内側に付けた断熱を兼ねる発泡性の制振材（例えば登録商標グライト）である。なお、外観にこだわらない場合等においては外側に付けてもよい。
【００１１】
また、図示はしないが、この制振材５の代わりに制振塗料（例えば登録商標ゲルナック）を塗布することとしてもよい。
このように屋根６および／もしくは底板９の外材７および／もしくは内材８に防振材１２を取り付けたことにより、外材７および／もしくは内材８が剛構造となり、低音域での遮音性が格段に向上し、図３に示す如く、５００ＨZ 以下の低音域において、音響透過損失が向上したことがわかる。
【００１２】
第２実施の形態例
なお、以下の説明においても上記の構成と同様の部位は同一の符号を用いて説明する。
図４は第２実施の形態例を示す説明図であり、図において、６は屋根であり、長尺でしかも幅の広いアルミニウムの押し出し型材による外材７とその外材７を支持するスチールやアルミニウムによる内材８とによって構成されている。
【００１３】
９は底板であり、これも長尺でしかも幅の広いアルミニウムの押し出し型材による外材７とその外材７を支持するスチールやアルミニウムによる内材８とによって構成されている。
以上の屋根６および／もしくは底板９の外材７の幅方向の中央付近に屋根６および底板９の長手方向に突条状の防振材１３を一体に成型して外材７を剛構造とする。この形成個所は、図面では外材７の内側に形成してあるが、外側に突出させて形成してもよく上記と同様な効果がある。
【００１４】
なお、この防振材１３を成型の際に、その基部に図示はしないが防振材１３とアングル状を形成する所望幅の肉厚部を形成しておくとなおよい。
また、上記では外材７に防振材１３を形成した場合で説明を行ったが、内材８に上記と同様に設けてもよく、さらには外材７と内材８の両方にそれぞれ防振材１３を形成してもよい。
【００１５】
５は外材７および／もしくは内材８の内側に付けた断熱を兼ねる発泡性の制振材（例えば登録商標グライト）である。なお、外観にこだわらない場合等においては外側に付けてもよい。
また、図示はしないが、この制振材５の代わりに制振塗料（例えば登録商標ゲルナック）を塗布することとしてもよい。
【００１６】
このようにした屋根６および底板９は内板８によって出窓外枠１０および躯体１１にねじ等で固着される。
このように屋根６および／もしくは底板９の外材７および／もしくは内材８に防振材１３を一体に形型したことにより、外材７および／もしくは内材８が剛構造となり、上記第１実施の形態例と同様に低音域での遮音性が格段に向上する。
【００１７】
なお、上記各実施の形態例では防振材を外材および／もしくは内材の幅方向の中央付近に屋根および底板の長手方向に一列だけ設けたもので説明を行ったが、複数列設けても無論よく、一層の効果が期待できる。
【００１８】
【発明の効果】
以上詳細に説明した本発明によると、長尺でしかも幅の広いアルミニウムの押し出し型材による外材とその外材を支持する内材とによって構成される屋根および／もしくは底板の構造において、その屋根および／もしくは底板の外材に、屋根および／もしくは底板の幅方向の中央付近に屋根および／もしくは底板の長手方向に突条状の防振材を設けて外材および／もしくは内材を剛構造としたことにより、屋根および／もしくは底板の低音域での遮音性が格段に向上するという効果を有する。
【図面の簡単な説明】
【図１】第１実施の形態例を示す説明図
【図２】防振材の断面形状例を示す説明図
【図３】音響透過損失と中心周波数を示すグラフ
【図４】第２実施の形態例を示す説明図
【図５】従来例を示す説明図
【符号の説明】
６  屋根
７  外材
８  内材
９  底板
１２、１３  防振材
【図１】
0004256493.tif 000002
【図２】
0004256493.tif 000003
【図３】
0004256493.tif 000004
【図４】
0004256493.tif 000005
【図５】
0004256493.tif 000006